(57)【要約】【課題】中空スラブの施工において、コンクリート打込み時に埋設部材に浮力が生じにくく、かつ埋設部材下方のコンクリート打込み状況も目視可能とする。【解決手段】中空スラブの中空部を形成するための埋設部材１であって、鋼製アングル３及び鋼棒４により立体状に組付けられた金属製骨組２と、この金属製骨組２に対しその周囲を囲んで取付けられた金属製ラス５とからなる。この金属製骨組２及び金属製ラス５からなる埋設部材１は直方体形状に形成されている。この直方体形状で金属製骨組２及び金属製ラス５からなる埋設部材１をセットした後、コンクリートを打込む。具体的には、先ず、埋設部材１の側方に高さ１／３までコンクリートを打込み、次に、埋設部材１の側方に上端までコンクリートを打込み、引き続いてスラブ天端までコンクリートを打込む。【選択図】図１
2005264509.tif 000002
【特許請求の範囲】
【請求項１】
中空スラブの中空部を形成するための埋設部材であって、
立体状に組付けられた金属製骨組と、
この金属製骨組に対しその周囲を囲んで取付けられた金属製ラスとからなることを特徴とする埋設部材。
【請求項２】
直方体形状に形成されていることを特徴とする請求項１に記載の埋設部材。
【請求項３】
請求項１または２に記載の埋設部材により中空部が形成されてなることを特徴とする中空スラブ。
【請求項４】
請求項１または２に記載の埋設部材をセットした後、コンクリートを打込むことを特徴とする中空スラブの施工方法。
【請求項５】
先ず、前記埋設部材の側方に高さ１／３までコンクリートを打込み、
次に、前記埋設部材の側方に上端までコンクリートを打込み、引き続いてスラブ天端までコンクリートを打込むことを特徴とする請求項４に記載の中空スラブの施工方法。
【発明の詳細な説明】
【技術分野】
【０００１】
本発明は、中空スラブの中空部を形成するために用いる埋設部材と、これを用いた中空スラブ及びその施工方法に関する。
【背景技術】
【０００２】
従来、中空スラブを施工する場合は、軽量鋼管（ワインディング・パイプ）や発泡埋設材をセットしてコンクリートを打込むことによりスラブ内に中空部を形成していた（例えば特許文献１、２参照）。このような中空部の形成により、スラブの軽量化・大スパン化が図れる。
ただし、コンクリート打込み時には、軽量鋼管や発泡埋設材に多大な浮力が生じるため軽量鋼管や発泡埋設材を固定しておかなければならない（例えば特許文献３参照）。
【特許文献１】特開平１０−１５９２２８号公報
【特許文献２】特開平１０−３３１３１０号公報
【特許文献３】特開２０００−３３６８２１号公報
【発明の開示】
【発明が解決しようとする課題】
【０００３】
しかし、軽量鋼管や発泡埋設材の固定には多大の手間を要し、コンクリート打込み時において、軽量鋼管や発泡埋設材の下方へのコンクリート充填状況が目視できない欠点があった。また、細心の注意を払っても軽量鋼管や発泡埋設材の下方にジャンカが生じる恐れがある等、施工上の問題があった。
【０００４】
本発明の課題は、中空スラブの施工において、コンクリート打込み時に埋設部材に浮力が生じにくく、かつ埋設部材下方のコンクリート打込み状況も目視可能とすることである。
【課題を解決するための手段】
【０００５】
以上の課題を解決するため、請求項１に記載の発明は、例えば図１及び図２に示すように、中空スラブの中空部を形成するための埋設部材１であって、立体状に組付けられた金属製骨組２と、この金属製骨組２に対しその周囲を囲んで取付けられた金属製ラス５とからなることを特徴とする。
【０００６】
このように、金属製骨組を金属製ラスで囲んだ埋設部材なので、コンクリート打込み時に浮力が生じにくく、特別な固定を必要としない。しかも、金属製ラスの小孔を通して埋設部材下方のコンクリート打込み状況も目視できる。
【０００７】
請求項２に記載の発明は、請求項１に記載の埋設部材１であって、例えば図１に示すように、直方体形状に形成されていることを特徴とする。
【０００８】
このように、埋設部材が直方体形状なので、埋設部材下面までのコンクリート打込みを確実に確認できる。
【０００９】
請求項３に記載の発明は、請求項１または２に記載の埋設部材１により中空部が形成されてなる中空スラブを特徴とする。
【００１０】
請求項４に記載の発明は、中空スラブの施工方法であって、例えば図１及び図２に示すように、請求項１または２に記載の埋設部材１をセットした後、コンクリートを打込むことを特徴とする。
【００１１】
以上のように、埋設部材をセットしてコンクリートを打込むことにより中空スラブを施工することで、埋設部材下にジャンカ等の欠陥のない中空スラブを施工できる。
【００１２】
請求項５に記載の発明は、請求項４に記載の中空スラブの施工方法であって、先ず、前記埋設部材１の側方に高さ１／３までコンクリートを打込み、次に、前記埋設部材１の側方に上端までコンクリートを打込み、引き続いてスラブ天端までコンクリートを打込むことを特徴とする。
【００１３】
このように、先ず、埋設部材の側方に高さ１／３までコンクリートを打込むことで、埋設部材を固定しなくても、ラスの小孔を通して埋設部材下端までのコンクリート打込みを目視して確認できる。次に、埋設部材の側方に上端までコンクリートを打込んでから、引き続いてスラブ天端までコンクリートを打込むことで、ラスの小孔から埋設部材内へのコンクリートノロのこぼれも少なく施工できる。
【発明の効果】
【００１４】
請求項１に記載の発明によれば、コンクリート打込み時に金属製の埋設部材に浮力が生じにくく、特別な固定を必要としない。しかも、金属製骨組を囲んだ金属製ラスの小孔を通して埋設部材下方のコンクリート打込み状況も目視できる。
従って、中空スラブの施工において、埋設部材下にジャンカ等の欠陥を回避できる。
【００１５】
請求項２に記載の発明によれば、直方体形状によって埋設部材下面までのコンクリート打込みを確実に確認できる。
【００１６】
請求項３または４に記載の発明によれば、埋設部材をセットしてコンクリートを打込むことにより、埋設部材下にジャンカ等の欠陥のない中空スラブを施工できる。
【００１７】
請求項５に記載の発明によれば、埋設部材を固定しなくても、ラスの小孔を通して埋設部材下端までのコンクリート打込みを目視して確認でき、ラスの小孔から埋設部材内へのコンクリートノロのこぼれも少なく施工できる。
【発明を実施するための最良の形態】
【００１８】
以下、図を参照して本発明を実施するための最良の形態を詳細に説明する。
本発明を適用した一実施形態の構成を示す図１及び図２において、１は本発明に係る埋設部材、１１はスラブ鉄筋である。
【００１９】
本発明に係る埋設部材１は、例えば図示のように、直方体形状の金属製骨組２の全周囲に金属製ラス５を取付けたものである。
すなわち、金属製骨組２は、例えば鋼製アングル３及び鋼棒４等を溶接して直方体形状に組上げたものである。この金属製骨組２の全周囲６面に、例えばメタルラスやワイヤーラス（金網）による金属製ラス５を溶接等により取付けて埋設部材１を製作する。一例としては、金属製骨組２として４０×４０×３ｍｍの等辺山形鋼３を１ｍ間隔として用い、金属製ラス５としてＪＩＳ  Ａ  ５５０５「メタルラス」の平ラス３号を用いる。
【００２０】
このような金属製骨組２及び金属製ラス５からなる直方体形状の埋設部材１を、図１及び図２に示したように、スラブ鉄筋１１の間にセットする。この埋設部材１のセットは、固定せずにスラブ鉄筋１１の間に置くだけでよい。なお、埋設部材１は図示しないスラブ鉄筋上に図示しないスペーサを用い所定間隔を開けて置かれる。
その後、コンクリートを打込む。
【００２１】
図示しないが、コンクリートの打込み手順は次の通りである。
（１）埋設部材１の両側方に高さ１／３までコンクリートを打込む。
ここで、梁部材の鉄筋（スラブ鉄筋１１参照）と埋設部材１とのかぶり厚さの確保は通常のスペーサーを用いるが、埋設部材１の片側へ初めてコンクリートを打込むタイミングにおいては、埋設部材１が横移動しないように、桟木等を埋設部材１と鉄筋との間に挿入する。この桟木等は、片側の高さ１／３までコンクリートが打込まれた時点で抜き取り、その逆側に打込むタイミングにおいては不要である。
（２）埋設部材１の両側方に上端までコンクリートを打込み、引き続いてスラブ天端までコンクリートを打込む。
【００２２】
以上の通り、金属製骨組２を金属製ラス５で囲んだ直方体形状の埋設部材１としたため、コンクリート打込み時において、鋼製アングル３及び鋼棒４を組上げた金属製骨組２と金属製ラス５の自重により浮力が生じにくく、しかも、コンクリート打込み手順（１）において、金属製ラス５の小孔を通して目視により埋設部材１下方のコンクリート打込み状況も確認できる利点がある。
従って、埋設部材１を固定しなくても、中空部下にジャンカ等の欠陥のない中空スラブを施工できるものとなる。
【００２３】
そして、埋設部材１の側方に高さ１／３までのコンクリート打込み手順（１）、埋設部材１の上端までのコンクリート打込み、続くスラブ天端までのコンクリート打込み手順（２）に分けたため、金属製ラス５の小孔から目視により埋設部材１内へのコンクリートノロのこぼれを少なく確認しながらコンクリート打込み作業を行える利点がある。
【００２４】
なお、以上の埋設部材は、壁に埋設して中空部を形成するのに用いても良い。
また、埋設部材の立体形状も任意であり、その他、具体的な細部構造等についても適宜に変更可能であることは勿論である。
【図面の簡単な説明】
【００２５】
【図１】本発明を適用した一実施形態の構成を示すもので、本発明に係る埋設部材をセットしてスラブ鉄筋を配筋した状態を斜め側方から示した概略斜視図である。
【図２】図１と同じく斜め上方から示した概略斜視図である。
【符号の説明】
【００２６】
１  埋設部材
２  金属製骨組
３  鋼製アングル
４  鋼棒
５  金属製ラス
１１  スラブ鉄筋
【図１】
2005264509.tif 000003
【図２】
2005264509.tif 000004